(57)【要約】【課題】  軒の出が大きくて軒天井を施工する場合、軒の出が小さくて軒天井を施工しない場合のいずれも、共通の軒先側見切り材、壁側見切り材を使用できる。【解決手段】    軒先側見切り材４の軒先側覆い部３に係止部８を設けると共に壁側見切り材７の壁側覆い部６に上記係止部８に着脱係止自在な被係止部９を設ける。係止部８に被係止部９を着脱自在に係止して軒先側見切り材４と壁側見切り材７とを一体に連結自在とする。【選択図】        図１
2005282202.tif 000002
【特許請求の範囲】
【請求項１】
鼻板の前面と下面とのなすコーナ部分を覆うように配設され且つ軒天井材の軒先側端部下面を覆うための軒先側覆い部を有する軒先側見切り材と、壁と軒天井材とのなすコーナ部分に配設され且つ軒天井材の壁側端部下面を覆うための壁側覆い部を有する壁側見切り材とを備えた軒見切り材セットであって、軒先側見切り材の軒先側覆い部に係止部を設けると共に壁側見切り材の壁側覆い部に上記係止部に着脱係止自在な被係止部を設け、係止部に被係止部を着脱自在に係止して軒先側見切り材と壁側見切り材とを一体に連結自在として成ることを特徴とする軒見切り材セット。
【請求項２】
軒先側に行くほど下となるように傾斜した軒天井材の軒先側端部下面を覆うための傾斜覆い部を有する傾斜用補助縁部材に上記係止部に着脱係止自在な被係止部を設け、係止部に被係止部を着脱自在に係止して軒先側見切り材に傾斜覆い部を有する傾斜用補助縁部材を一体に連結自在として成ることを特徴とする請求項１記載の軒見切り材セット。
【請求項３】
壁側見切り材に軒天井裏を換気するための換気孔を設け、壁側見切り材に防火用補助部材を着脱自在に取付け、防火用補助部材に換気孔の近くに位置し且つ加熱されることで膨張して換気孔を塞ぐ熱膨張部材を設けて成ることを特徴とする請求項１又は請求項２記載の軒見切り材セット。
【発明の詳細な説明】
【技術分野】
【０００１】
本発明は、軒において軒先側、壁際の見切りを行うための軒見切り材セットに関するものである。
【背景技術】
【０００２】
従来から軒の出が大きい場合には軒の下面に軒天井材を配設するのが一般的であるが、この軒天井材の支持に当たっては、図１０のように、鼻板１の前面と下面とのなすコーナ部分を覆うように取付けられる軒先側見切り材４ａに設けた軒先側覆い部３ａにより軒天井材２の軒先側端部下面を覆い、壁５際に取付けられる壁側見切り材７ａに設けた壁側覆い部６ａにより軒天井材２の壁側端部下面を覆うようにしている。（例えば、特許文献１参照）
また、軒の出が小さい場合には軒天井を設けないが、このような場合には鼻板１から壁５に至るように単一の見切り材を取付けて仕舞ったり、あるいは、図１１に示すように軒先側見切り材４ａと、天井兼用見切り材５０とを使用して仕舞ったりしている。
【０００３】
したがって、軒の出の大きくて軒天井を配設する場合に使用する壁側見切り材と、軒の出が短い場合に使用する天井兼用見切り材とが別部材で兼用する部材となっておらず、部品点数が増え、在庫管理等のコストアップの要因となるという問題があった。
【０００４】
また、軒の出が大きい場合も、特許文献１に示されるように軒天井材が水平に施工される水平軒天井の場合と、軒天井材を軒先側に行くほど下となるように傾斜して施工する傾斜軒天井の場合とがあり、軒先側見切り材の軒先側覆い部が水平なものの場合には傾斜軒天井には適用できず、軒先側覆い部が傾斜した別種類の軒先側見切り材を必要とし、この点でも部品点数が増え、いっそう在庫管理等がコストアップするという問題があった。
【特許文献１】特開２００１−２７１４６７号公報
【発明の開示】
【発明が解決しようとする課題】
【０００５】
本発明は上記の従来の問題点に鑑みて発明したものであって、軒の出が大きくて軒天井を施工する場合、軒の出が小さくて軒天井を施工しない場合のいずれの場合も、共通の軒先側見切り材、壁側見切り材を使用することができ、また、補助部材を用いることで傾斜した軒天井を形成する場合にも適用でき、少ない部材点数で多種類の軒の見切り仕上げができて在庫管理等のコストを低くすることができる軒見切り材セットを提供することを課題とするものである。
【課題を解決するための手段】
【０００６】
上記課題を解決するために本発明に係る軒見切り材セットは、鼻板１の前面と下面とのなすコーナ部分を覆うように配設され且つ軒天井材２の軒先側端部下面を覆うための軒先側覆い部３を有する軒先側見切り材４と、壁５と軒天井材２とのなすコーナ部分に配設され且つ軒天井材２の壁５側端部下面を覆うための壁側覆い部６を有する壁側見切り材７とを備えた軒見切り材セットであって、軒先側見切り材４の軒先側覆い部３に係止部８を設けると共に壁側見切り材７の壁側覆い部６に上記係止部８に着脱係止自在な被係止部９を設け、係止部８に被係止部９を着脱自在に係止して軒先側見切り材４と壁側見切り材７とを一体に連結自在として成ることを特徴とするものである。
【０００７】
このような構成とすることで、軒の出が大きくて軒の下面に軒天井材２を施工する場合には軒先側見切り材４と壁側見切り材７とを分離して、軒先側見切り材４を鼻板１の前面と下面とのなすコーナ部分を覆うように配設して軒天井材２の軒先側端部下面を該軒先側見切り材４の軒先側覆い部３により覆い、壁側見切り材７を壁５と軒天井材２とのなすコーナ部分に配設して軒天井材２の壁側端部を該壁側見切り材７の壁側覆い部６に覆うことで、軒先の鼻板１と軒天井材２の軒側端部のなす部分の化粧仕舞いを行うと共に壁５と軒天井材２の壁側端部のなす部分の化粧仕舞いを行うものであり、一方、軒の出が短くて軒天井材２を施工しない場合には、係止部８に被係止部９を着脱自在に係止して軒先側見切り材４と壁側見切り材７とを一体に連結することで該一体化した見切り材で軒の下面の鼻板１から壁５に至る部分を仕舞うことができるものであり、このように、軒の出が大きくて軒天井材２を施工する場合も、軒の出が小さくて軒天井材２を施工しない場合も共通の軒先側見切り材４、壁側見切り材７を着脱して使い分けることができるものである。
【０００８】
また、軒先側に行くほど下となるように傾斜した軒天井材２の軒先側端部下面を覆うための傾斜覆い部１０を有する傾斜用補助縁部材１１に上記係止部８に着脱係止自在な被係止部９’を設け、係止部８に被係止部９’を着脱自在に係止して軒先側見切り材４に傾斜覆い部１０を有する傾斜用補助縁部材１１を一体に連結自在とすることが好ましい。
【０００９】
このような構成とすることで、軒の出が大きくて軒天井材２を施工する場合において、軒天井材２を傾斜して施工する場合には、鼻板１の前面と下面とのなすコーナ部分を覆うように配設する軒先側見切り材４の係止部８に傾斜用補助縁部材１１の被係止部９’を係止することで、軒先側見切り材４に傾斜する軒天井材２の傾斜した軒先側を覆うための傾斜覆い部１０を設けることができて、水平な軒天井材２を施工する際に使用する軒先側見切り材４を用いてこれに傾斜用補助縁部材１１を着脱自在に取付けることで傾斜する軒天井材２の施工に対応できるものである。
【００１０】
また、壁側見切り材７に軒天井裏を換気するための換気孔１２を設け、壁側見切り材７に防火用補助部材１３を着脱自在に取付け、防火用補助部材１３に換気孔１２の近くに位置し且つ加熱されることで膨張して換気孔１２を塞ぐ熱膨張部材１４を設けることが好ましい。
【００１１】
このような構成とすることで、軒天井裏を換気ができ且つ防火構造とする場合には、壁側見切り材７に防火用補助部材１３を取付けることで、火災時に熱膨張部材１４が加熱されて発泡して換気孔１２を塞いで軒天井裏への炎の侵入を防止することができ、また、軒天井裏を換気はできるが防火構造とする必要がない場合には防火用補助部材１３を取付けずに使用することで、無駄な部材を省略してコスト低減ができるものである。
【発明の効果】
【００１２】
本発明は、上記のように、軒先側見切り材、壁側見切り材を着脱して使い分けることで、軒の出が大きくて軒天井材を施工する場合も、軒の出が小さくて軒天井材を施工しない場合も共通の軒先側見切り材、壁側見切り材を使用することができて、少ない種類の見切り材で多種類の軒の見切り仕上げができて在庫管理等のコストを低くすることができるものである。
【発明を実施するための最良の形態】
【００１３】
以下、本発明を添付図面に示す実施形態に基いて説明する。
【００１４】
本発明の軒見切り材セットは、図１に示すような軒先側見切り材４と壁側見切り材７とを備えたものである。
【００１５】
軒先側見切り材４は、鼻板１の前面と下面とのなすコーナ部分を覆うように配設される前縦片１５と下横片１６とよりなる断面Ｌ状をしており、下横片１６の先端部に水平に施工される軒天井材２の軒先側端部下面を覆うための水平な軒先側覆い部３を設けてある。この軒先側覆い部３の突出先端及び突出基部は係止部８となっている。
【００１６】
壁側見切り材７は、壁５に沿って取付けられる縦板片１７の下部に側方に向けて上段横片１８を連設し、上段横片１８の突出先端部から下方に垂下片１９を垂設し、垂下片１９の下端部から上記縦板片１７と反対側に水平に突出する下段横片２０を設けて構成してあり、下段横片２０の先端部の上面側に軒天井材２の壁側端部下面を覆うための壁側覆い部６が設けてあり、更に、下段横片２０の先端部の下面側に一対のＬ状片よりなる被係止部９が設けてある。垂下片１９には換気孔１２が設けてある。下段横片２０の上面の壁側覆い部６の付け根部分（下段横片２０の突出方向の略中間部分）には上方に向けて上向き突片２１が突設してあり、垂下片１９と上向き突片２１との間が上方に開口する凹部２２となっており、また、上段横片１８の縦板片１７からの突出基部付近から下方に下向き突片３５が突設してあり、垂下片１９と下向き突片３５との間が下方に開口する凹部２３となっている。したがって、凹部２３の下方の開口と凹部２２の上方の開口とが凹部２３、換気孔１２、凹部２２を介して連通している。上段横片１８の突出先端には係合部２４が設けてあり、防火用補助部材１３に設けた被係合部２５が上記係合部２４に着脱自在に係合して取付け自在となっている。防火用補助部材１３には加熱されることで発泡する熱膨張部材１４が設けてある。この加熱することで発泡する熱膨張部材１４としては、ある一定温度以上（例えば、１５０℃以上又は２００℃以上）に加熱された際に数倍〜数十倍に膨張して固化することで換気孔１２を塞いで通気及び延焼を遮断するもので、例えば、発泡性グラファイトや熱膨張性黒鉛等の発泡性を有する炭素系の材料からなるものであるが、特に材料の限定はない。この防火用補助部材１３を取付けた状態でも凹部２２は防火用補助部材１３と上向き突片２１との間が上方に開口している。
【００１７】
上記の構成の軒先側見切り材４と壁側見切り材７とは、図１（ｂ）に示すように係止部８と被係止部９を着脱自在に係止することで軒先側見切り材４と壁側見切り材７とが一体となった軒見切り材４０として使用したり、あるいは、図１（ａ）に示すように係止部８と被係止部９との係止を解除して２部材に分離することで、軒先側見切り材４単体、壁側見切り材７単体として軒先側、壁側の各見切り材として使用するものである。
【００１８】
すなわち、図３乃至図５に示すように、軒の出が大きくて軒の下面に軒天井材２を施工する場合には、軒先側見切り材４と壁側見切り材７とを分離してそれぞれ単体の見切り材として使用するものである。すなわち、図３、図５のように、壁側見切り材７の縦板片１７を壁５にビスのような固着具２６により固着して壁側見切り材７を壁５に取付け、野縁２７の壁側端部を壁側見切り材７の上段横片１８上に載置し、この状態で、野縁２７をビスのような固着具２６により上段横片１８に固着し、また、図３、図４のように、該野縁２７を軒下地２９にビスのような固着具２６により固着する。また、鼻板１の前面及び下面とをそれぞれ前縦片１５と下横片１６とで覆うように軒先側見切り材４を鼻板１に取付ける。軒天井材２は上記野縁２７の下面側にビスのような固着具２６により固着される。この軒天井材２の軒先側端部下面は軒先側見切り材４の軒先側覆い部３により覆われ、また、軒天井材２の軒先側端部下面が軒先側覆い部３で覆われる。この場合、軒天井材２を軒先側覆い部３にビスのような固着具２６により固着してもよい。このようにして、軒先側見切り材４により軒先の鼻板１と軒天井材２の軒側端部のなす部分の化粧仕舞いを行い、壁側見切り材７により壁５と軒天井材２の壁側端部のなす部分の化粧仕舞いを行うことができる。
【００１９】
一方、図６のように、軒の出が短くて軒の下面に軒天井材２を施工しない場合には、係止部８と被係止部９を着脱自在に係止することで軒先側見切り材４と壁側見切り材７とが一体となった軒見切り材４０として使用するものである。すなわち、図１（ｂ）のように、係止部８と被係止部９を係止して軒先側見切り材４と壁側見切り材７とが一体となった軒見切り材４０を組み立て形成し、この軒見切り材４０を鼻板１の前面から壁５にわたるように軒の下面に配設して鼻板１や軒下地２９にビスのような固着具２６により固着するものである。これにより軒先側見切り材４と壁側見切り材７とが一体に連続する軒見切り材４０により軒の下面の鼻板１から壁５に至る部分を奇麗に仕舞うことができる。
【００２０】
そして、上記のように、軒先側見切り材４と壁側見切り材７とを分離してそれぞれ単体の軒先側、壁側の各見切り材として使用する場合、軒先側見切り材４と壁側見切り材７とを係止し一体に連続する軒見切り材４０として使用する場合のいずれにおいても、実施形態においては、壁側見切り材７の換気孔１２を利用して軒裏空間の換気を行うことができるものである。ここで、防火が必要な場合には壁側見切り材７に熱膨張部材１４を設けた防火用補助部材１３を取付けておくことで、火災時に加熱により熱膨張部材１４が膨張して換気孔１２を塞いで熱気や炎が軒裏空間に入り込むのを遮断することができるものである。
【００２１】
上記実施形態においては、軒の出が大きくて軒下面に軒天井材２を施工する場合に軒天井材２を水平に施工して水平な軒天井を形成する例を示しているが、軒の出が大きい場合で軒の下面に軒先側（鼻板１側）に行くほど下となるように傾斜した軒天井材２を施工して傾斜軒天井を形成する場合には、前述の軒先側見切り材４に設けた水平な軒先側覆い部３に傾斜した軒天井材２の軒先側端部下面を奇麗に覆って収まりよく仕舞うことができない。そこで、傾斜した軒天井材２を施工する場合には、軒先側見切り材４に傾斜用補助縁部材１１を取付けて使用する。傾斜用補助縁部材１１は図２（ａ）に示すようなもので、傾斜した軒天井材２の軒先側端部下面を覆うための傾斜覆い部１０を設け、該傾斜覆い部１０の最下端となる鼻板１側の端部には被係止部９’が一体に設けてあり、この被係止部９’は前述の壁側見切り材７に設けた被係止部９と同じ形状をしていて軒先側見切り材４の係止部８に着脱係止自在となっている。
【００２２】
上記の傾斜用補助縁部材１１の被係止部９’を軒先側見切り材４の係止部８に係止することで図２（ｂ）に示すように軒先側見切り材４に傾斜用補助縁部材１１を一体に連続するように取付けた状態で、図７、図８のように鼻板１の前面及び下面とをそれぞれ前縦片１５と下横片１６とで覆うように軒先側見切り材４を鼻板１に取付け、傾斜覆い部１０により傾斜した軒天井材２の軒先側端部下面を覆うと共にビスのような固着具２６により固着するものである。
【００２３】
一方、壁５側においては、図７、図９に示すように前面が下に行くほど壁５側となるように傾斜した補助下地材３１を壁５に固着具２６により固着し、この補助下地３１の傾斜した前面に壁側見切り材７の縦板片１７を当てて固着具２６により固着することで壁側見切り材７を補助下地材３１を介して傾斜して取付けることができ、この場合、壁側見切り材７の壁側覆い部６が傾斜し、傾斜した軒天井材２の壁側端部下面を覆うものであり、これにより傾斜した軒天井材２の壁側端部と壁５とのなすコーナ部分を傾斜して取付けた壁側見切り材７により収まり良く仕舞うことができるものである。
【００２４】
なお、この実施形態の場合、野縁２７も傾斜して取付けられるが、この傾斜した野縁２７は図９に示すように、壁側端部を傾斜して取付けた壁側見切り材７の傾斜した上段横片１８上に載置し、この状態で、野縁２７をビスのような固着具２６により上段横片１８とに固着してあり、また、図８に示すように、該野縁２７を軒下地２９にビスのような固着具２６により固着する。
【図面の簡単な説明】
【００２５】
【図１】（ａ）は本発明の軒見切り材セットにおいて軒先側見切り材と壁側見切り材とを分離した状態の側面図であり、（ｂ）は同上の軒先側見切り材と壁側見切り材とを係止して一体に連続した軒見切り材とした状態の側面図である。
【図２】（ａ）は同上の軒先見切り材に補助的に着脱自在に取付ける傾斜用補助縁部材を示す側面図であり、（ｂ）は軒先見切り材に傾斜用補助縁部材を係止して取付けた例を示す側面図である。
【図３】同上の軒見切り材セットを軒の出が大きくて軒天井材を施工する場合に用いた例を示す施工状態の断面図である。
【図４】同上の図３のＡ部分の拡大断面図である。
【図５】同上の図３のＢ部分の拡大断面図である。
【図６】同上の軒見切り材セットを軒の出が小さくて軒天井材を施工しない場合に用いた例を示す施工状態の断面図である。
【図７】同上の軒見切り材セットを軒の出が大きくて傾斜した軒天井材を施工する場合に用いた例を示す施工状態の断面図である。
【図８】同上の図７のＡ部分の拡大断面図である。
【図９】同上の図７のＢ部分の拡大断面図である。
【図１０】従来例を示す断面図である。
【図１１】他の従来例を示す断面図である。
【符号の説明】
【００２６】
１  鼻板
２  軒天井材
３  軒先側覆い部
４  軒先側見切り材
５  壁
６  壁側覆い部
７  壁側見切り材
８  係止部
９  被係止部
９’  被係止部
１０  傾斜覆い部
１１  傾斜用補助縁部材
１２  換気孔
１３  防火用補助部材
１４  熱膨張部材
【図１】
2005282202.tif 000003
【図２】
2005282202.tif 000004
【図３】
2005282202.tif 000005
【図４】
2005282202.tif 000006
【図５】
2005282202.tif 000007
【図６】
2005282202.tif 000008
【図７】
2005282202.tif 000009
【図８】
2005282202.tif 000010
【図９】
2005282202.tif 000011
【図１０】
2005282202.tif 000012
【図１１】
2005282202.tif 000013